(57)【要約】【課題】簡易な棚構造で、低コスト，清掃性にも優れた効果を発揮して商品の先入れ，先出し原則に対応できるように改良したショーケースの商品陳列棚を提供する。【解決手段】庫内に上下多段形の商品陳列棚を装備したショーケースで、その商品陳列棚７が多数の商品１０を前後に整列して載置する仕切ガイド付きの前傾シュート棚板７ａを備えた構成において、前傾シュート棚板７ａの上面に、低摩擦の塗料で表面処理した商品滑走用の滑り敷板１１を布設し、その滑り敷板は、基板１１ａの表面に低摩擦塗料としてフッ素樹脂系のインキをストライプ状に印刷フッ素樹脂塗膜１１ｂを形成した構造となし、商品陳列棚に補給した商品１０を滑り敷板の上に滑らせて前方に滑走させるようにする。【選択図】        図１
2007054144.tif 000002
【特許請求の範囲】
【請求項１】
上下段に並ぶ商品陳列棚を庫内に装備したショーケースであって、その商品陳列棚が、多数の商品を前後に整列して載置する仕切ガイド付きの前傾シュート形の棚板を備えたものにおいて、
前記した前傾シュート形棚板の上面に、低摩擦の塗料で表面処理した商品滑走用の滑り敷板を布設したことを特徴とするショーケース。
【請求項２】
請求項１記載のショーケースにおいて、滑り敷板は、その基板の表面に低摩擦塗料の塗膜をストライプ状に印刷形成したものであることを特徴とするショーケース。
【請求項３】
請求項１または２に記載のショーケースにおいて、低摩擦の塗料がフッ素樹脂系のインキであることを特徴とするショーケース。
【発明の詳細な説明】
【技術分野】
【０００１】
本発明は、店舗に据付けて使用するオープンショーケースなどを対象に、その庫内に装備して商品を陳列するショーケースの商品陳列棚の構造に関する。
【背景技術】
【０００２】
まず、冷気循環式オープンショーケースを例に、本発明の実施対象となるショーケースの構成を図２に示す。図において、１は断熱筐体になる前面開放形のケース本体（外箱）、２は内箱、３は庫内底部に配したデッキパン、４は外箱１と内箱２，デッキパン３との間に画成した冷気循環通風路、５は冷気循環通風路４に配置した冷却器（冷凍機のエバポレータ）、６は庫内ファン、７は上下段に並べて庫内に設置した商品陳列棚、８は商品陳列棚７を内箱２の背壁に支持するブラケット、９はキャノピー部であり、商品（例えば缶，びん，紙パック商品）１０は商品陳列棚７の上に載置して陳列，販売される。なお、ショーケースの動作については周知であり、ここではその説明を省略する。
一方、上記のショーケースで販売する商品（食料品）は、先入れ，先出しを原則として商品の補給，販売管理を行うようにしている。そこで、この先入れ，先出しの原則に対応して商品の補給，取出し行うために、商品陳列棚に商品整列用の仕切ガイドを備えた前傾シュート形の棚板を組み合わせた上で、その棚板にローラ，コロなどの転がり機構を設けてその上に載置した商品が棚の傾斜面を滑走し易くするようにした構成の商品陳列棚が従来より知られている（例えば、特許文献１参照）。
【特許文献１】実開昭６０−１７０１６１号公報
【発明の開示】
【発明が解決しようとする課題】
【０００３】
ところで、前傾シュート棚にローラなどの転がり機構を備えた従来構造の商品陳列棚は、転がり機構を備えた分だけ棚の厚さ寸法が増して庫内の商品陳列スペースが制約を受けるほか、棚構造が複雑になってコスト高となる。また、ローラなどの転がり機構は塵埃が隙間に侵入して溜まり易すい上に清掃性も悪く、商品陳列棚のメンテナンスには手間がかかる問題もある。
本発明は上記の点に鑑みなされたものであり、その目的は前記課題を解決し、簡易な構造で余分なスペースを占有することなく、かつ低コストで清掃性にも優れた効果を発揮して商品の先入れ，先出しの原則が確保できるように棚構造を改良した商品陳列棚付きのショーケースを提供することにある。
【課題を解決するための手段】
【０００４】
上記目的を達成するために、本発明によれば、上下多段形の商品陳列棚を庫内に装備したショーケースで、その商品陳列棚が多数の商品を前後に整列して載置する仕切ガイド付きの前傾シュート形の棚板を備えたものにおいて、
前記した前傾シュート形棚板の上面に、低摩擦の塗料で表面処理した商品滑走用の滑り敷板を布設するものとし（請求項１）、その滑り敷板は具体的には次記のような態様で構成する。
（１）前記の滑り敷板は、その基板の表面に低摩擦塗料の塗膜をストライプ状に形成して構成する（請求項２）。
（２）前記の滑り敷板に塗布する低摩擦の塗料としてフッ素樹脂系のインキを用いる（請求項３）。
【発明の効果】
【０００５】
上記の構成によれば、滑り敷板に載せて商品陳列棚に補給した商品は、前傾シュート棚板の斜面に沿って前方へスムーズに滑動する。これにより、ローラなどの複雑な転がり機構を設けることなしに、先入れ，先出し原則を確保してショーケースへの商品補給，取り出しが楽に行える。
しかも、滑り敷板はその基板の上面を低摩擦塗料で表面処理しただけの簡単な構造であり、転がり機構を設けた従来構造の棚と比べてコストを大幅に低減できるほか、敷板の厚さも薄くて棚上で余分なスペースを占有することもない。また、滑り敷板の基板上面に低摩擦塗料をストライプ状に印刷して肉厚な塗膜を形成することで、この上に載置した商品との接触面積（つまり接触摩擦抵抗）が小さくなって商品の滑走性が向上する。
さらに、低摩擦塗料としてフッ素樹脂系のインキを用いることにより、高い滑り性と耐磨耗性が得られるほか、フッ素樹脂は非濡れ性により塵埃などが付着し難く、かつその汚れも簡単に清掃できるので、メンテナンス性の面でも優れた効果を発揮する。
【発明を実施するための最良の形態】
【０００６】
以下、本発明の実施の形態を図１（ａ）〜（ｂ）に示す実施例に基づいて説明する。すなわち、実施例の商品陳列棚７にはトレー形になる前傾シュート棚板７ａを備え、その棚板に商品１０を前後の列に整列させる仕切ガイドとしてサイドバー７ｂ，および前端側にフェンス７ｃを設け、さらにこの前傾シュート棚板７ａの上面（トレーの底面）には詳細を後記する商品滑走用の滑り敷板１１を布設して商品陳列棚７を構成している。
ここで、図１（ｂ）で表すように、前記のサイドバー７ｂはトレー形状になる棚板７ａの前縁，後壁に形成した係合溝穴７ａ−１，７ａ−２の間に左右に並べて架け渡し、このサイドバー７ｂの間に挿入して棚上に陳列した商品１０を前後方向に整列させるようにしている。
また、滑り敷板１１は、薄鋼板（例えば合金化亜鉛鋼板）１１ａの表面（商品１０の滑動面）に低摩擦塗料としてフッ素樹脂の塗膜１１ｂを形成した構造になり、この滑り敷板１１を前記した棚板７ａの底面に布設してその上に商品１０を載置するようにしている。
【０００７】
なお、前記滑り敷板１１は、基板１１ａの表面を脱脂処理した上で、その表面に低摩擦の塗料としてフッ素樹脂系インキ（高い強度を得るために必要に応じて有機フィラーを混入する）をスクリーン印刷法などにより図示のようなストライプ状に厚肉印刷し，インキを乾燥した後に焼成処理して塗膜１１ｂを形成するようにする。
上記の構成において、商品陳列棚７に商品１０を陳列した状態では、図１（ｃ）で示すように、商品容器の底面が滑り敷板１１の上面に並んで凸状に形成されたフッ素樹脂塗膜１１ｂの上に当接しする。これにより、低摩擦のフッ素樹脂塗膜１１ａによる高い滑り性に加えて、この塗膜１１ｂと商品１０との接触面積も小さくなり、商品収納７に補給した商品１０はサイドバー７ｂでガイドされながら前傾シュート棚板７ａの傾斜面に沿って前方へスムーズに滑走する。また、商品陳列棚から商品１０を抜き取ると、その後方に並んでいる商品１０が前方に滑動して隙間なく整列して商品の先入れ，先出しを確実に確保できる。なお、図示実施例では滑り敷板１１の基板１１ａにフッ素樹脂インキをストライプ状に印刷しているが、例えばドット状に分散して印刷してもよい。
【図面の簡単な説明】
【０００８】
【図１】本発明の実施例に係わる商品陳列棚の構成図であり、（ａ）は棚の側面図、（ｂ）は棚板と滑り敷板との分解斜視図、（ｃ）は滑り敷板に商品を載置した状態の正面図
【図２】本発明の実施対象となるオープンショーケース全体の構成断面図
【符号の説明】
【０００９】
１    ショーケースのケース本体
７    商品陳列棚
７ａ  前傾シュート棚板
７ｂ  サイドバー（仕切ガイド）
８    棚ブラケット
１０    商品
１１    滑り敷板
１１ａ  基板
１１ｂ  フッ素樹脂塗膜
【図１】
2007054144.tif 000003
【図２】
2007054144.tif 000004